(57)【特許請求の範囲】
【請求項１】
画像データを圧縮する圧縮手段と、
圧縮された前記画像データを並列データに変換する変換手段と、
前記並列データを複数の拡散符号を用いて変調する変調手段と、
前記複数の拡散符号によって変調された前記並列データを送信する送信手段と、
表示装置に関する情報を含むモニタ情報に基づいて前記圧縮手段の圧縮処理および前記変換手段の変換処理を制御する制御手段
とを有する画像送信装置。
【請求項２】
前記モニタ情報は、前記表示装置の解像度に関する情報を含むことを特徴とする請求項１に記載の画像送信装置。
【請求項３】
前記画像データを生成する撮像手段を更に有することを特徴とする請求項１または２に記載の画像送信装置。
【請求項４】
前記制御手段は、前記モニタ情報に基づいて前記画像データの量を制御し、前記モニタ情報に基づいて前記画像データから得られる並列データの並列数を制御する制御手段であることを特徴とする請求項１〜３の何れか１項に記載の画像送信装置。
【請求項５】
前記制御手段は、前記モニタ情報に基づいて高画質伝送方式または低画質伝送方式を選択する制御手段であり、前記圧縮手段は、前記制御手段が前記高画質伝送方式を選択した場合における前記画像データの圧縮率を前記制御手段が前記低画質伝送方式を選択した場合における前記画像データの圧縮率よりも低くする圧縮手段であり、前記変換手段は、前記制御手段が前記高画質伝送方式を選択した場合に前記画像データから得られる並列データの並列数を前記制御手段が前記低画質伝送方式を選択した場合に前記画像データから得られる並列データの並列数よりも多くする変換手段であることを特徴とする請求項１〜４の何れか１項に記載の画像送信装置。
【請求項６】
前記モニタ情報は、画面サイズ、表示素子のタイプ、水平解像度、垂直解像度及び画素数の少なくとも一つを示す情報を含むことを特徴とする請求項１〜５の何れか１項に記載の画像送信装置。
【請求項７】
画像データを圧縮する圧縮工程と、
圧縮された前記画像データを並列データに変換する変換工程と、
前記並列データを複数の拡散符号を用いて変調する変調工程と、
前記複数の拡散符号によって変調された前記並列データを送信する送信工程と、
表示装置に関する情報を含むモニタ情報に基づいて前記圧縮工程の圧縮処理および前記変換工程の変換処理を制御する制御工程とを有する画像送信方法。
【請求項８】
前記モニタ情報は、前記表示装置の解像度に関する情報を含むことを特徴とする請求項７に記載の画像送信方法。
【請求項９】
前記画像データを生成する撮像手段を更に有することを特徴とする請求項７または８に記載の画像送信方法。
【請求項１０】
前記制御工程は、前記モニタ情報に基づいて前記画像データの量を制御し、前記モニタ情報に基づいて前記画像データから得られる並列データの並列数を制御する制御工程であることを特徴とする請求項７〜９の何れか１項に記載の画像送信方法。
【請求項１１】
前記制御工程は、前記モニタ情報に基づいて高画質伝送方式または低画質伝送方式を選択する制御工程であり、前記圧縮工程は、前記制御手段が前記高画質伝送方式を選択した場合における前記画像データの圧縮率を前記制御手段が前記低画質伝送方式を選択した場合における前記画像データの圧縮率よりも低くする圧縮工程であり、前記変換工程は、前記制御手段が前記高画質伝送方式を選択した場合に前記画像データから得られる並列データの並列数を前記制御手段が前記低画質伝送方式を選択した場合に前記画像データから得られる並列データの並列数よりも多くする変換工程であることを特徴とする請求項７〜１０の何れか１項に記載の画像送信方法。
【請求項１２】
前記モニタ情報は、画面サイズ、表示素子のタイプ、水平解像度、垂直解像度及び画素数の少なくとも一つを示す情報を含むことを特徴とする請求項７〜１１の何れか１項に記載の画像送信方法。
【発明の詳細な説明】
【０００１】
【発明の属する技術分野】
本発明は、スペクトラム拡散伝送方式により画像を伝送する画像送信装置及び画像送信方法に関する。
【０００２】
【従来の技術】
スペクトラム拡散方式で画像情報を伝送する場合、従来は、一定の画質及び一定の伝送速度で行なわれていた。また、画像データの伝送では特に、画質を優先して、スペクトラム拡散の伝送速度を高く設定するのが普通であった。
【０００３】
【発明が解決しようとする課趣】
しかし、受信側の画像表示手段が、例えば小型の液晶表示パネルのように低解像度である場合、その解像度に合致する程度の画質で画像データを伝送すればよく、一概に伝送速度を高く設定しておく必要は無い。また、スペクトラム拡散通信では、伝送速度が高いと伝送距離が短くなってしまう。従って、従来例では、画像受信側で必要とする以上の画質で画像を伝送し、そのために伝送距離を無駄に短くしているところがある。
【０００４】
本発明は、画像受信側で要求する画質で画像情報を伝送するようにして、画質と伝送距離の両方に対する要求を適切に満たし得るようにすることを目的とする。
【０００７】
【課題を解決するための手段】
本発明の画像送信装置は、画像データを圧縮する圧縮手段と、圧縮された前記画像データを並列データに変換する変換手段と、前記並列データを複数の拡散符号を用いて変調する変調手段と、前記複数の拡散符号によって変調された前記並列データを送信する送信手段と、表示装置に関する情報を含むモニタ情報に基づいて前記圧縮手段の圧縮処理および前記変換手段の変換処理を制御する制御手段とを有する。
【０００８】
本発明の画像送信方法は、画像データを圧縮する圧縮工程と、圧縮された前記画像データを並列データに変換する変換工程と、前記並列データを複数の拡散符号を用いて変調する変調工程と、前記複数の拡散符号によって変調された前記並列データを送信する送信工程と、表示装置に関する情報を含むモニタ情報に基づいて前記圧縮工程の圧縮処理および前記変換工程の変換処理を制御する制御工程とを有することを特徴とする。
【０００９】
【発明の実施の形態】
以下、図面を参照して、本発明の実施の形態を詳細に説明する。
【００１０】
図１は、本実施例の画像送信側の概略構成ブロック図を示す。１０は被写体の光学像を撮像素子１２の光電変換面に結像するレンズ、１４は、撮像素子１２から出力されるアナログ画像信号をサンプルホールドし、適正な信号レベルにするＣＤＳ／ＡＧＣ回路、１６は、ＣＤＳ／ＡＧＣ回路１４のアナログ出力をＡ／Ｄ変換し、ガンマ補正及び色バランス調整などの撮像信号処理をディジタル的に実行するディジタル信号処理回路、１８は送信すべき画像データをデータ圧縮する画像圧縮回路、２０は、画像圧縮回路１８を制御すると共に、画像圧縮回路１８からの圧縮画像データをスペクトラム拡散送信に適したデータ形式に変換し、かつ通信プロトコルを制御する通信プロトコル／圧縮制御回路、２２は通信プロトコル／圧縮制御回路２０からのデータをスペクトラム拡散変調し、アンテナ２４に供給するスペクトラム拡散送信回路である。
【００１１】
２６は画像送信側からのスペクトラム拡散変調された制御コマンドなどを受信し、復調するスペクトラム拡散受信回路、２８は、スペクトラム拡散受信回路２６により復調されたデータから制御コマンド（本実施例では、画像受信側が要求する画質に関する情報）を復調するコマンド復調回路、３０は、コマンド復調回路２８から出力される制御コマンドに従い、通信プロトコル／圧縮制御回路２０を介して画像圧縮回路１８の画像圧縮率を制御すると共に、スペクトラム拡散送信回路２２のデータ送信速度を制御する圧縮／伝送速度制御回路（マイクロコンピュータ）である。
【００１２】
図２は、画像圧縮回路１８の詳細を示すブロック図である。ラスタ／ブロック変換回路４０は、圧縮すべき画像データを８×８画素の画素ブロックに変換し、離散コサイン変換（ＤＣＴ）回路４２は、ラスタ／ブロック変換回路４０の出力を８×８がその画素ブロックを単位に離散コサイン変換する。量子化回路４４は量子化テーブル記憶回路（例えば、ルックアップ・テーブル）から供給される特定の量子化テーブルに従い、ＤＣＴ回路４２の出力（変換係数データ）を量子化し、ハフマン符号化回路４８は、ハフマン・テーブル記憶回路５０から供給される特定のハフマン・テーブルに従い量子化回路４４の出力データをハフマン符号化する。ハフマン符号化回路４８の出力が、画像圧縮回路１８の出力になる。
【００１３】
量子化テーブル記憶回路４６から量子化回路４４に供給される量子化テーブル、及びハフマン・テーブル記憶回路５０からハフマン符号化回路４８に供給されるハフマン・テーブルは、外部からの圧縮制御信号５２により選択される。即ち、圧縮制御信号５２により、画像圧縮回路１８の圧縮率を外部から制御できる。
【００１４】
図３は、スペクトラム拡散送信回路２２の概略構成ブロック図を示す。６０は通信プロトコル／圧縮制御回路２０からの送信すべき直列データをｎ個の並列データに変換する直並列変換器、６２は、圧縮／伝送速度制御回路３０からの伝送速度データに従い直並列変換器６０の並列数を制御する並列数制御回路、６４は直並列変換器６０から出力される各並列データに対してそれぞれ異なる拡散符号を発生する拡散符号発生器、６６−１〜６６−ｎは、直並列変換器６０から出力される各並列データに、拡散符号化発生器６４が発生する各拡散符号ＰＮ１〜ＰＮｎを乗算する乗算器、６８は、伝送速度データに従い乗算器６６−２〜６６−ｎの各出力をオン／オフするスイッチ、７０はスイッチ６８を制御する選択信号を生成する選択信号生成回路、７２は拡散符号発生器６４からの１つの拡散符号ＰＮ０、乗算器６６−１の出力、及びスイッチ６８により選択される乗算器６６−２〜６６−ｎの出力を加算する加算器、７４は加算器７２の出力を送信周波数信号に変換するＲＦ回路、７６は伝送速度データ（具体的には、並列数）に応じてＲＦ回路７４の利得を制御する利得制御回路である。
【００１５】
このような構成により、並列数制御回路６２及び選択信号生成回路７０が、伝送速度データに従い並列数を変更する。この結果、送信すべきデータのデータ伝送速度が変更される。
【００１６】
図４は、本実施例における受信側装置の概略構成ブロック図を示す。図４において、１１０は送受信アンテナ、１１２は、送受信アンテナ１１０で受信されたスペクトラム拡散符号を復調し、圧縮画像データと伝送速度データを出力するスペクトラム拡散受信回路、１１４は圧縮画像データを伸長し、画像データを復元する画像伸長回路、１１６は、画像伸長回路１１４を使用して、スペクトル拡散受信回路１１２からの圧縮画像データを復元させる通信プロトコル制御回路、１１７はスペクトラム拡散受信回路１１２からの伝送速度データに従い通信プロトコル制御回路１１６を制御する伝送速度制御回路（マイクロコンピュータ）である。
【００１７】
１１８は通信プロトコル制御回路１１６からの画像データをアナログ信号に変換するディジタル信号処理回路、１２０はディジタル信号処理回路１１８の出力信号をＮＴＳＣ映像信号に変換するＮＴＳＣエンコーダ、１２２はＮＴＳＣエンコーダ１２０の出力信号を映像表示するモニタである。
【００１８】
１２４はモニタ１２２の種類、大きさ及び解像度等のモニタ１２２に関する情報が格納されているモニタ情報ＲＯＭ、１２６はモニタ情報ＲＯＭ１２４から記憶情報を読み出して、所定形式のコマンド・データに変換するコマンド生成／変調回路、１２８はコマンド生成／変調回路１２６により生成されたコマンド・データをスペクトラム拡散変調し、アンテナ１１０を介して画像送信側に送信するスペクトラム拡散送信回路である。
【００１９】
図５は画像伸長回路１１４の概略構成ブロック図を示す。１３０は、圧縮画像データと共に伝送されるハフマン・テーブルを使って圧縮画像データを先ずハフマン復号化するハフマン復号化回路、１３２は、圧縮画像データと共に伝送される量子化テーブルを使ってハフマン復号化回路１３０の出力を逆量子化する逆量子化回路、１３４は逆量子化回路１３２の出力データを逆離散コサイン変換する逆ＤＣＴ回路、１３６は、逆ＤＣＴ回路１３４の出力データを、ブロック順からラスタ順に変換するブロック／ラスタ変換回路である。ブロック／ラスタ変換回路１３６の出力が、画像伸長回路１１４の出力であり、復元された画像データになる。
【００２０】
送信側でＤＣＴ変換、量子化及びハフマン符号化された圧縮画像データは、図５に示す構成により、ハフマン復号化、逆量子化及び逆ＤＣＴ変換され、元の画像データに復元される。
【００２１】
図６は、スペクトラム拡散受信回路１１２の概略構成ブロック図を示す。１４０は送受信アンテナ１１０で受信された信号を所定の内部周波数に変換するＲＦ回路、１４２は、受信した拡散符号に対する同期を補足し、維持する同期回路、１４４は、同期回路１４２から出力される符号同期信号及びクロック信号に従い、受信した拡散符号と同一の拡散符号を発生する拡散符号発生器、１４６は、拡散符号発生器１４４３から出力されるキャリア再生用拡散符号ＰＮ０及びＲＦ回路１４０の出力信号から搬送波信号を再生するキャリア再生回路、１４８は、キャリア再生回路１４６からの搬送波信号及び拡散符号発生回路１４４からのｎ個の拡散符号を使って、ＲＦ回路１４０の出力をベースバンド復調するベースバンド復調回路、１５０はベースバンド復調回路１４８から出力される複数の復調データを直列化する並直列変換器、１５２はベースバンド復調回路１４８における内部信号からスペクトラム拡散送信回路２２における並列数を検出する並列数検出回路、１５４は並列数検出回路１５２により検出された並列数に従い並直列変換回路１５０で直列化する並列数を制御すると共に、伝送速度データを出力する並列数制御回路である。
【００２２】
図６に示す構成により、スペクトラム拡散変調された信号が、復調される。このような構成及び動作自体は、周知である。
【００２３】
図７は、画像受信側のモニタ情報に応じた画像送信側の動作フローチャートを示す。モニタ情報ＲＯＭ１２４に記憶されるモニタ１２２に関する情報は、例えば、画面サイズ、表示素子のタイプ（ＣＲＴ又は液晶表示パネルなど）、水平解像度、垂直解像度、及び画素数などの情報からなる。
【００２４】
画像送信側は、画像受信側からのモニタ情報を取得し（Ｓ１）、その内容に応じて、高画質伝送すべきか否かを判定する（Ｓ２）。例えば、画像受信側のモニタ１２２が２９インチのブラウン管モニタで、水平解像度７００本である場合などには、高画質伝送を選択する。具体的には、圧縮／伝送速度制御回路３０は、画像圧縮回路１８の量子化回路４４における量子化テーブルとして低圧縮率のものを選択して、送信すべき画像を低圧縮率で圧縮し（Ｓ３，Ｓ４）、スペクトラム拡散送信回路２２における伝送データの並列数を多くして伝送速度を高速にする（Ｓ５）。
【００２５】
また、画像受信側のモニタ１２２が、４インチの液晶モニタで、画素数が約７万である場合、圧縮／伝送速度制御回路３０は、低画質の画像伝送を選択する。具体的には、圧縮／伝送速度制御回路３０は、画像圧縮回路１８の量子化回路４４における量子化テーブルとして高圧縮率のものを選択して、送信すべき画像を高圧縮率で圧縮し（Ｓ６，Ｓ７）、スペクトラム拡散送信回路２２における伝送データの並列数を少なくして伝送速度を低速にする（Ｓ８）。
【００２６】
このようにして圧縮された圧縮画像データを、選択された伝送速度（並列数）で画像受信側に送信する（Ｓ９）。
【００２７】
【発明の効果】
本発明によれば、受信側の表示装置に適した画質の画像データを伝送できる。
【図面の簡単な説明】
【図１】本発明の一実施例の送信側の概略構成ブロック図である。
【図２】画像圧縮回路１８の概略構成ブロック図である。
【図３】スペクトラム拡散送信回路２２の概略構成ブロック図である。
【図４】本実施例の受信側の概略構成ブロック図である。
【図５】画像伸長回路１１４の概略構成ブロック図である。
【図６】スペクトラム拡散受信回路１１２の概略構成ブロック図である。
【図７】本実施例のフローチャートである。
【符号の説明】
１０：レンズ
１２：撮像素子
１４：ＣＤＳ／ＡＧＣ回路
１６：ディジタル信号処理回路
１８：画像圧縮回路
２０：通信プロトコル／圧縮制御回路
２２：スペクトラム拡散送信回路
２４：アンテナ
２６：スペクトラム拡散受信回路
２８：コマンド復調回路
３０：圧縮／伝送速度制御回路
４０：ラスタ／ブロック変換回路
４２：離散コサイン変換（ＤＣＴ）回路
４４：量子化回路
４６：量子化テーブル記憶回路
４８：ハフマン符号化回路
５０：ハフマン・テーブル記憶回路
６０：直並列変換器
６２：並列数制御回路
６４：拡散符号発生器
６６−１〜６６−ｎ：乗算器
６８：スイッチ
７０：選択信号生成回路
７２：加算器
７４：ＲＦ回路
７６：利得制御回路
１１０：送受信アンテナ
１１２：スペクトラム拡散受信回路
１１４：画像伸長回路
１１６：通信プロトコル制御回路
１１７：伝送速度制御回路
１１８：ディジタル信号処理回路
１２０：ＮＴＳＣエンコーダ
１２２：モニタ
１２４：モニタ情報ＲＯＭ
１２６：コマンド生成／変調回路
１２８：スペクトラム拡散送信回路
１３０：ハフマン復号化回路
１３２：逆量子化回路
１３４：逆ＤＣＴ回路
１３６：ブロック／ラスタ変換回路
１４０：ＲＦ回路
１４２：同期回路
１４４：拡散符号発生器
１４６：キャリア再生回路
１４８：ベースバンド復調回路
１５０：並直列変換器
１５２：並列数検出回路
１５４：並列数制御回路
【図１】
0003595633.tif 000002
【図２】
0003595633.tif 000003
【図３】
0003595633.tif 000004
【図４】
0003595633.tif 000005
【図５】
0003595633.tif 000006
【図６】
0003595633.tif 000007
【図７】
0003595633.tif 000008